(57)【要約】【課題】撮像対象物の外観を撮像した撮像データを、撮像対象と関連付けて記録することで、得られた撮像データを撮像対象物と対応づけて判別可能にするデータ記録装置およびこのようなデータ記録装置を用いた検査システムを提供すること。【解決手段】複数の撮像対象物を光学的に撮像し、撮像した結果を記録するデータ記録装置を、操作者により操作される操作部と、前記操作部を操作することにより撮像対象物の外観を撮像し、画像データとして送信する撮像部と、前記操作部を操作した際に、操作者が発声した音声を受信し、発声情報に変換して送信する受信部と、操作部を操作した際に撮像された撮像対象物の外観についての画像データと、操作部を操作した際に受信した音声を変換した発声情報とを対応付けて撮像データとして記録する記録部と、で構成した。【選択図】図２
2008199079.tif 000002
【特許請求の範囲】
【請求項１】
複数の撮像対象物を光学的に撮像し、撮像した結果を記録するデータ記録装置であって、
操作者により操作される操作部と、
前記操作部を操作することにより撮像対象物の外観を撮像し、画像データとして送信する撮像部と、
前記操作部を操作した際に、操作者が発声した音声を受信し、発声情報に変換して送信する受信部と、
撮像された撮像対象物の外観についての画像データと、操作部を操作した際に受信した音声を変換した発声情報とを対応付けて撮像データとして記録する記録部と、を備えるデータ記録装置。
【請求項２】
前記発声情報が、操作者が発声した音声を変換して得られるテキストデータであり、前記記録部が、該テキストデータを前記画像データと対応づけて記録することを特徴とする請求項１に記載のデータ記録装置。
【請求項３】
前記受信部が、前記操作部が操作されている間のみ、操作者が発声した音声を受信することを特徴とする請求項１または２に記載のデータ記録装置。
【請求項４】
撮像対象物に対して識別符号が予め付与されており、前記受信部が、前記操作者が発声した音声を受信し、受信した音声を変換した発声情報が前記識別符号に該当する場合に、前記記録部が、該当する識別符号を発声情報として前記画像データと対応付けて記録することを特徴とする請求項１から３のいずれかに記載のデータ記録装置。
【請求項５】
前記操作部、撮像部および受信部が、前記記録部と物理的に分離して構成されており、前記画像データおよび発声情報が無線により記録部に送信されることを特徴とする請求項１から４のいずれかに記載のデータ記録装置。
【請求項６】
少なくとも、前記操作部、撮像部および受信部が、操作者に装着可能に構成されていることを特徴とする請求項１から５のいずれかに記載のデータ記録装置。
【請求項７】
前記撮像部が、操作者の頭部に装着される眼鏡型に構成されていることを特徴とする請求項１から６のいずれかに記載のデータ記録装置。
【請求項８】
前記撮像対象物が、視覚的に検査される検査対象物であることを特徴とする請求項１から７のいずれかに記載のデータ記録装置。
【請求項９】
前記記録部に記録された撮像データの少なくとも一部を表示する表示部をさらに備えることを特徴とする請求項１から８のいずれかに記載のデータ記録装置。
【請求項１０】
検査者によって検査される複数の検査対象物を搬送する搬送部と、
前記検査対象物の外観の少なくとも一部を光学的に撮像し、撮像データを記録するデータ記録装置と、
前記データ記録装置に記録された撮像データを視覚的に表示する表示装置と、を備える検査システムであって、
前記データ記録装置が、
検査者により操作される操作部と、
前記操作部を操作することにより撮像対象物の外観を撮像し、画像データとして送信する撮像部と、
前記操作部を操作した際に、操作者が発声した音声を受信し、発声情報に変換して送信する受信部と、
操作部を操作した際に撮像された検査対象物の外観についての画像データと、操作部を操作した際に受信した音声を変換した発声情報とを対応付けて撮像データとして記録する記録部と、を備えるとともに、
前記表示装置は、前記データ記録装置に記録された、発声情報に対応付けて記録された画像データを表示することを特徴とする検査システム。
【発明の詳細な説明】
【技術分野】
【０００１】
本発明は、工場内等において搬送される搬送物の外観を検査する際等に用いられる、撮像データを記録するためのデータ記録装置および該データ記録装置を用いた検査システムに関するものである。
【背景技術】
【０００２】
工場等で生産される生産物の外観を検査する手法として、光学的な検査機器を用いる検査手法に加えて、人間の検査者による目視検査が併用されている。このような目視検査は、光学的な検査装置では見出せないような細かな傷や微小な色ムラ等の不具合を発見することができる反面、そのような厳密な検査でなければ発見できないような細かい不具合は、習熟した検査者でなければ見分けることができない。そのため、検査工程以後の人間に、生産物の外観に不具合を通知することが困難であり、たとえ不具合の存在を通知したとしても、検査工程以後の人間が不具合箇所を発見するまでに時間を要することとなる。
【０００３】
そこで従来では、検査者は、搬送されてくる生産物の外観に前述のような不具合を発見すると、何らかの目印（小さな紙片など）を発見した不具合の近辺に貼り付けることで、そのような不具合を検査工程以後の人間に通知するようにしている。このようにすると、検査工程を通過した生産物の不具合箇所を、検査に習熟した人間でなくとも比較的容易に発見することが可能となる反面、目視検査によって発見された不具合を、その場で修復するなどの処置をするに留まり、発見された不具合の実態を管理することができない。
【０００４】
そこで、目視検査で不具合を発見すると、検査者によってその不具合箇所を光学的に撮像し、その撮像したデータをディジタル化するなどの処置を施して記録するという手法が考えられる。このような物体の外観を撮像するものとして、例えば特許文献１に示されるような、ハンズフリーで撮像を可能とするような技術が知られている。
【特許文献１】特開平１１−１６４１８６号公報
【発明の開示】
【発明が解決しようとする課題】
【０００５】
しかしながら、このような手法では、大量生産されるほぼ同一形状の生産物が搬送されてくる場合、撮像したデータと搬送物との関連付けができず、どの搬送物にどのような不具合が生じているかを判別することが極めて困難となる。
【０００６】
本発明は、このような問題を解決するためになされたものであり、撮像対象物の外観を撮像した撮像データを、撮像対象と関連付けて記録することで、得られた撮像データを撮像対象物と対応づけて判別可能にするデータ記録装置およびこのようなデータ記録装置を用いた検査システムを提供することを目的とする。
【課題を解決するための手段】
【０００７】
本発明にかかるデータ記録装置は、複数の撮像対象物を光学的に撮像し、撮像した結果を記録するものであって、操作者により操作される操作部と、前記操作部を操作することにより撮像対象物の外観を撮像し、画像データとして送信する撮像部と、前記操作部を操作した際に、操作者が発声した音声を受信し、発声情報に変換して送信する受信部と、操作部を操作した際に撮像された撮像対象物の外観についての画像データと、操作部を操作した際に受信した音声を変換した発声情報とを対応付けて撮像データとして記録する記録部と、を備えることを特徴としている。
【０００８】
このように構成されたデータ記録装置は、操作者が撮像対象物を目視した際に、その撮像対象物に関する情報を発声すると、この発声情報が、この撮像対象物の外観を撮像した撮像データを判別可能とするような判別データとなる。したがって、搬送された撮像対象物と、この撮像対象物を撮像した撮像データとを関連付けて記録することができる。
【０００９】
なお、前記発声情報は、操作者が発声した音声を記録するものであれば特に限定されるものではないが、この音声を変換して得られるテキストデータであってあることが好ましい。このように、操作者が発声した音声をテキストデータに変換し、前記記録部によって該テキストデータを前記画像データと対応づけて記録するようにすると、撮像データをこれらのテキストデータに基づいて整理した状態で記録することができる。
【００１０】
なお、このようなデータ記録装置においては、前記受信部が、前記操作部が操作されている間のみ、操作者が発声した音声を受信するように構成することが好ましい。このようにすると、操作者が撮像対象物を撮像した際に、撮像対象物を判別する情報を発声することで、周囲に存在する音源によるノイズの影響を受けにくくなり、撮像対象物に対応する発声情報をより確実に記録することができる。特に、発声した音声をテキストデータに変換するような場合、発声した音声の誤変換が少なくなる。
【００１１】
なお、このようなデータ記録装置においては、撮像対象物に対して識別符号が予め付与されており、前記受信部が、前記操作者が撮像対象物に付与された識別符号を読み上げた音声を受信し、受信した音声を変換して得られる識別符号を示す発声情報を送信するように構成されていることが好ましい。特に、データ記録装置の内部に、予め付与された前記識別符号を記憶させておき、操作者が発声した音声を変換した発声情報が前記識別符号に該当するか否かを照合し、前記発声情報が予め付与された識別符号に該当した場合に、前記記録部が、該当する識別符号を発声情報として前記画像データと対応付けて記録するようにしてもよい。このような実施形態の場合、操作者から発声された音声を誤変換することなく、確実に撮像対象物に対応させることができる。
【００１２】
また、このようなデータ記録装置においては、操作部や撮像部、受信部が一体的に構成されていてもよいが、前記操作部、撮像部および受信部を、前記記録部と物理的に分離して構成し、撮像部により撮像された画像データおよび受信部により受信した音声を変換した発声情報を無線により記録部に送信するように構成することが好ましい。このように構成すると、データを記録する記録部を操作者から離れた位置に配置された場合であっても、操作者が操作部を操作して検査作業等を行うことが可能となる。
【００１３】
そして、このようなデータ記録装置においては、操作部、撮像部および受信部が、操作者に装着可能に構成されていることがさらに好ましい。このように構成すると、操作者が検査作業等を行う際に行動する自由度が広がる。なお、このように構成されたデータ記録装置においては、記録部も操作者に装着されるものであってもよく、この記録部により記録されたデータを、別途設置されたサーバ等へ自動的または人為的に転送するように構成されていてもよい。
【００１４】
また、このようなデータ記録装置において、各構成要素の形状は特に限定されるものではないが、前記撮像部が、操作者の頭部に装着される眼鏡型に構成されていてもよい。このようにすると、検査作業等を行う際に操作者が目視した方向を撮像することが可能となるとともに、撮像部を把持する必要がなく、作業性が向上する。
【００１５】
なお、このようにして用いられるデータ記録装置は、前記撮像対象物が、視覚的に検査される検査対象物であってもよい。すなわち、このようなデータ記録装置を、視覚的に検査を行う検査作業に用いると効果的である。
【００１６】
また、このようなデータ記録装置は、記録部に記録された撮像データの少なくとも一部を表示する表示部をさらに備えることが好ましい。このように構成することで、記録した撮像データを視覚的に確認することが可能となる。
【００１７】
また、本発明は検査システムをも提供するものであり、このような検査システムは、検査者によって検査される複数の検査対象物を搬送する搬送部と、前記検査対象物の外観の少なくとも一部を光学的に撮像し、撮像データを記録するデータ記録装置と、前記データ記録装置に記録された撮像データを視覚的に表示する表示装置と、を備え、前記データ記録装置が、検査者により操作される操作部と、前記操作部を操作することにより撮像対象物の外観を撮像し、画像データとして送信する撮像部と、前記操作部を操作した際に、操作者が発声した音声を受信し、発声情報に変換して送信する受信部と、操作部を操作した際に撮像された検査対象物の外観についての画像データと、操作部を操作した際に受信した音声を変換した発声情報とを対応付けて撮像データとして記録する記録部と、を備えるとともに、前記表示装置は、前記データ記録装置に記録された、発声情報に対応付けて記録された画像データを表示することを特徴としている。
【００１８】
このように構成された検査システムは、操作者が検査対象となる検査対象物を目視した際に、その撮像対象物に関する情報を発声すると、この発声情報が、この検査対象物の外観を撮像した撮像データを判別可能とするような判別データとなる。したがって、搬送された検査対象物の不具合が存在する箇所を撮像し、この撮像した撮像データを発声情報と関連付けて記録することが可能となる。
【発明の効果】
【００１９】
以上、説明したように、本発明によると、撮像対象物の外観を撮像した撮像データを、撮像対象と関連付けて記録し、得られた撮像データを撮像対象物と対応づけて判別可能にするデータ記録装置およびこのようなデータ記録装置を用いた検査システムを提供することが可能となる。
【発明を実施するための最良の形態】
【００２０】
発明の実施の形態１．
以下に、図１から図５を参照しつつ本発明の実施の形態１にかかるデータ記録装置および該データ記録装置を用いた検査システムについて説明する。
【００２１】
図１は、床面上に設置された搬送ライン上を、検査対象である車両Ｍが搬送され、搬送された車両をデータ記録装置を操作する操作者としての検査者Ｐが目視により外観検査を行う検査システム１を概略的に示す概略図である。なお、図１においては検査対象である車両Ｍは１台のみ図示されているが、本実施形態においては複数の車両が連続して搬送されるものであり、その他の車両については図示が省略されているものとする。
【００２２】
図１において示すように、この検査システム１において、データ記録装置２は、検査者Ｐに装着されるデータ記録装置本体１０と、データ記録装置本体１０とは物理的に分離した位置に設置されたコンピュータ２０とから構成される。なお、本実施形態においては、データ記録装置本体１０は検査者Pに装着されており、このデータ記録装置１０を用いて取得したデータ（撮像データ）は、コンピュータ２０に対して送信される。コンピュータ２０は、コンピュータ本体２１と、ディスプレイ２２と、データ記録装置本体１０から送信されたデータを記録するサーバ２３とを備え、サーバ２３に記録された各種データは、コンピュータ本体２１からの指令により、ディスプレイ２２に表示される。
【００２３】
図２は、図１に示すデータ記録装置本体１０の各構成を概略的に示した図である。この図２から明らかなように、データ記録装置本体１０は、検査者Ｐの押圧操作により信号を送信する操作部としてのスイッチ１２と、撮像対象となる物体を撮像する撮像部１１と、検査者Ｐの口元付近に位置するように設けられた受信部１４と、スイッチ１２からの信号に基づいて撮像部１１および受信部１４を制御する制御部１３とを備えている。以下、各構成について詳細に説明する。
【００２４】
撮像部１１は、検査者Ｐの頭部に装着可能なように構成されており、検査者Ｐの顔の前面から側面にかけて覆う、いわゆる眼鏡型のフレーム１１０と、このフレーム１１０の前面上部中央付近に設けられたカメラ本体１１１と、フレーム１１０の空洞部分に嵌め込まれた透明板１１２、１１２とを備えている。フレーム１１０は、検査者Ｐの両耳に掛けられることで検査者Ｐの顔前面に保持されるものであり、検査者Ｐの顔の向きとカメラ本体１１１の撮像方向の向きとを一致させる。これによって、検査者Ｐが検査作業を行う際に目視した方向について、カメラ本体１１１の撮像方向を略一致させることが可能となる。
【００２５】
なお、カメラ本体１１１は汎用のＣＣＤカメラ等の撮像手段を備え、その撮像方向に存在する物体の外観を画像データとして撮像可能なものであり、フレーム１１０を装着した際に、その撮像方向が検査者Ｐの視線と略一致する方向に、フレーム１１０に対して固定されている。カメラ本体１１１の撮像動作は、後述するように制御部１３からの信号によって制御されるとともに、カメラ本体１１１により撮像された画像データは、配線１１１ａを介して制御部１３に送信される。
【００２６】
そして、図３に示すように、カメラ本体１１１はデータ記録装置本体１０を装着した検査者Ｐから、その視線方向Ｓに向けて所定距離だけ離れた領域を含むように、その撮像方向Ｄが設定されるとともに、その撮像方向Ｄから所定の角度で拡大する撮像領域を有している。なお、この撮像方向Ｄや撮像領域の広さは、予め設定されることが好ましいが、状況に応じて変更可能に構成されていてもよい。
【００２７】
透明板１１２、１１２は所定の厚さを有するガラスやプラスチック等の材質から形成されており、検査者Ｐの視力を向上させるためのレンズとして作用するとともに、フレーム１１０の前面から検査者Ｐの目に向けて飛散する物体から、検査者Ｐの目を保護する保護部材としての作用をも有している。なお、透明板１１２はレンズ作用を有する例を用いているが、本発明はこれに限られるものではなく、特に検査者Ｐの視力を向上させる必要がない場合は、単なるガラスやプラスチックの略均一厚さの板材であってもよい。
【００２８】
受信部１４は、前述のフレーム１１０に一端が固定されたアーム１４２と、アーム１４２の他端に設けられたマイク１４１とを備えている。マイク１４１によって受信された音声（図１においては識別番号「１２３４５」）は、その音声を電気的な信号に変換し、発声情報としてアーム１４２に沿って配線された配線１４１ａを介して制御部１３に送信する。そして、制御部１３においては、後述するように受信した発声情報としての音声信号を音声認識ソフトによって音声認識し、テキストデータに変換した後に記録する。また、アーム１４２は、フレーム１１０の側方から下方に湾曲した形状を有しており、フレーム１１０を装着した際に、アーム１４２の他端に設けられたマイク１４１が、検査者Ｐの口元付近に位置するとともに、マイク１４１の指向性が検査者Ｐの口元を向く位置となるように構成されている。
【００２９】
スイッチ１２は、筐体１２１と、この筐体１２１に対して押し込み動作可能に構成されたボタン１２２と、該ボタン１２２の押し込み動作が行われた際に所定の電気信号を送信するためのケーブル１２３と、を備えている。筐体１２１の内部には、図示は省略するが、押し込まれたボタン１２２が元の位置に戻すために、ボタン１２２を押し戻す方向に一定の弾性力を付与するバネ部材が設けられているとともに、ボタン１２２が所定量押し込まれた際に電気的に接続される図示しない電気回路が設けられている。そして、この電気回路の接点がボタン１２２の押し込み動作により閉じられることをトリガーとして、所定の電気信号がケーブル１２３を介して制御部１３に対して送信される。また、ボタン１２２の押し込み動作が終了し、ボタン１２２が元の位置に戻ったことを検知すると、ボタンの押し込み動作が終了したことを示す信号を、同様にケーブル１２３を介して制御部１３に送信する。なお、筐体１２１は検査者Ｐが把持しやすい程度の大きさの略円筒形状に形成され、筐体１２１を把持した際に検査者Ｐの親指の腹がボタン１２２の上面あたりに接触するように構成されている。
【００３０】
制御部１３は、検査者Ｐの腰部付近に装着される携帯可能な小型コンピュータであり、撮像部１１の撮像動作を制御するとともに、撮像部１１により送信される画像データおよび受信部１４により送信される発声情報（音声信号）を受信する。以下、制御部１３についての詳細を図４に示すブロック図を用いて説明する。
【００３１】
図４は、制御部１３の内部構造を概念的に表したブロック図である。制御部１３は、いわゆるその内部に制御部本体１３０と、制御部本体に電力を供給するバッテリ１５０とを備えている。制御部本体１３０は、予め所定の動作プログラム等を記憶するとともに、受信した各種のデータを記録するための記憶領域１３１と、前記動作プログラムに基づいて動作する演算処理部１３２、記憶領域１３１に記憶したデータの一部をコンピュータ２０へ送信する無線ＬＡＮやＢｌｕｅｔｏｏｔｈなどの通信手段からなる送信部１３３のほか、図示は省略するが、一時的にデータを記録するためのメモリや撮像部１１や受信部からのデータを受信するための受信回路、および撮像部１１へトリガー信号を送信するための送信回路、および外部から所定の指示を入力するための入力部や、時刻調整のされたタイマー等をも備えている。なお、制御部１３から無線ＬＡＮやＢｌｕｅｔｏｏｔｈを介して送信される信号を受け取るために、コンピュータ２０においても、同様の通信手段が備えられている。
【００３２】
また、前述する記憶領域１３１には、受信部から送信される音声信号を受信した後に音声認識し、認識した結果をテキストデータに変換するための音声認識プログラム、撮像部１１の撮像動作を制御するための制御プログラム等が記憶されており、後述するように撮像部１１の制御等を行う。なお、この制御部１３としては、市販のＰＤＡなどの機器に所定のプログラムを記録させたものを用いることも可能である。
【００３３】
このように構成された制御部本体１３０が撮像データを記録するまでのフローについて、図５に示すフローチャートを用いて説明する。
【００３４】
まず、スイッチ１２のボタン１２２が押し込まれると（ＳＴＥＰ１０１）、その際に送信される電気信号を受けて、撮像部１１の撮像動作、すなわち撮像部１１のカメラ本体１１１により検査対象である車両Ｍの外観の一部を撮像する（ＳＴＥＰ１０２）。そして、制御部本体１３０は、カメラ本体１１１が撮像したことで得られる画像データをカメラ本体１１１より受信し、記憶領域１３１に記録する（ＳＴＥＰ１０３）。
【００３５】
また、制御部本体１３０は、前述のようにスイッチ１２のボタン１２２が押し込まれた後、このボタン１２２が押し込まれることによって電気信号が送信されている間、受信部１４（マイク１４１）から送信される音声データを一時的に記憶領域１３１に記録する（ＳＴＥＰ２０２）。このとき、検査者Ｐはボタン１２２を押し込む間、検査対象の車両Ｍについての識別符号（本実施形態の場合は識別番号「１２３４５」）を発話するため、結果的に受信部１４から送信される音声信号は、この識別符号（識別番号）号「１２３４５」が音声として発声された信号となる。
【００３６】
そして、検査者Ｐがスイッチ１２のボタン１２２の押し込み動作を終了すると（ＳＴＥＰ２０３）、受信部１４からの電気信号を受けて制御部１３は所定の音声認識プログラムにしたがって、記憶領域１３１に記録した結果を音声認識し（ＳＴＥＰ２０４）、その音声認識した結果をテキストデータに変換する（ＳＴＥＰ２０５）。
【００３７】
そして、この音声認識した結果得られたテキストデータを、前述した画像データと対応付けて記憶領域１３１に記録する（ＳＴＥＰ１０４）。すなわち、本実施形態においては、制御部本体１３０の演算処理部１３２と、記憶領域１３１とは、本発明でいう記録部として作用する。
【００３８】
なお、撮像部１１により得られた画像データと、受信部１４から送信される音声信号を音声認識して得られたテキストデータとの対応付けは、制御部本体１３０に内蔵されたタイマーにより判定された時刻に基づいて行われる。すなわち、スイッチ１２のボタン１２２の押し込まれた時刻（すなわち、スイッチ１２から電気信号が送信された時刻）を基点として、その基点となった時刻の直後に取得された画像データと、その基点となった時刻から得られたテキストデータとを対応付けて撮像データとして記録する。
【００３９】
そして、このように記憶領域１３１に記録された撮像データは、送信部１３３を介してコンピュータ２０へ送信され（ＳＴＥＰ１０５）、サーバ２３へ記録される（ＳＴＥＰ１０６）。このサーバ２３においては、撮像データに含まれるテキストデータ、およびその撮像データの得られた時刻に基づいて、撮像データのファイル名等が適宜作成された後に記録される。
【００４０】
このように、検査対象となる車両Ｍの外観を、搬送される順序に従って連続的に撮像し、撮像した結果得られた撮像データの記録を行った後、検査作業を終了する。
【００４１】
なお、本実施形態においては、スイッチ１２のボタン１２２の押し込まれる時間は特に限られるものではなく、また、ボタンが押し込まれた後に再度ボタンが押し込まれるまでの時間も特に限られるものではないが、検査者Ｐのボタン１２２を押し込む状態を継続させる手間を省くために、ボタン１２２を一度押し込むと、所定の時間（例えば数秒間）だけ音声信号を受信し、受信した音声信号の音声認識を行うように構成してもよい。
【００４２】
また、本実施形態においては、撮像データを制御部１３の内部に設けられた記憶領域に記録し、その撮像データを外部のコンピュータへ送信しているが、本発明はこれに限られるものではない。例えば、撮像データを構成する画像データおよび音声信号が制御部１３に送信された後、これらの画像データおよび音声信号（または音声信号を音声認識した結果得られるテキストデータ）を外部のコンピュータに転送するようにしてもよい。この場合、これらの画像データおよび音声信号を転送された外部のコンピュータにおいては、これらの画像データと音声信号（または音声信号を音声認識した結果得られるテキストデータ）とを関連付けた後に、所定のファイル名等を付与して外部のサーバや内蔵されたハードディスク等に記録する。なお、制御部１３が受信した音声信号は、音声認識を行ってテキストデータに変換した後に送信すると、無線で信号を送信する際に、送信するデータ容量が小さくなるため好適である。
【００４３】
また、前述の実施形態においては、音声認識した結果得られた識別番号（識別符号）についてのテキストデータを、前述した画像データと対応付けて記憶領域に記録するようにしているが、これに代えて、記憶領域にあらかじめ検査対象となる車両の識別番号を記憶させておき、音声認識した結果得られた情報を、これらの記憶された識別番号と照合するようにしてもよい。特に、音声認識した結果得られた識別番号が誤認識された場合であっても、最も類似する識別番号を記憶領域から選択するようにすると、識別番号の認識において誤認識が減少する。
【００４４】
また、撮像された画像データや受信した音声信号、またはこれらを対応付けた撮像データを外部のコンピュータに送信する手段として、特に無線送信に限定されるものではなく、例えば、ＵＳＢ接続や有線ＬＡＮを用いてデータを送信してもよい。また、制御部において、撮像データ等を記録する記憶領域に代えて、制御部１３と物理的に分離する記録媒体を組み込むように構成し、撮像データ等を該記録媒体に記録し、この記録媒体を取り外して外部のコンピュータにデータを人為的に移動させるようにしてもよい。
【００４５】
また、本実施形態においては、検査者（操作者）により操作される操作部を、押しボタンを備えるスイッチで構成しているが、これに代えて、一定以上の大きさの音に反応するような音声反応型のスイッチを用いてもよい。このような実施形態の場合、音声反応型のスイッチを、音声信号を取得するための受信部に組み込んで一体的に構成してもよく、検査者（操作者）から音声が発声された間のみ、音声信号を取得するようにしてもよい。このようにすると、検査者（操作者）がスイッチを押し込む動作等を行う必要がなく、ハンズフリーな状態で検査を行うことができる。
【００４６】
また、前述の実施形態においては、検査者（操作者）から発声される音声として、検査対象の車両の識別番号を識別符号として用いる例を記しているが、本発明はこれに限られるものではない。例えば、車両の主要な検査部分、例えばボンネットやドア、サイドミラーといった車両の各パーツ部分の名称を、車両を識別するための識別符号として用いてもよい。このようにすると、検査により発見された不具合の箇所毎に撮像データが抽出されるため、好適である。なお、このようにデータ記録装置を構成した場合、検査者（操作者）から発声された音声を変換することで得られる発声情報として、音声認識により得られるテキストデータ以外を用いることも可能である。例えば、制御部内に予め検査対象となる物体の各パーツ部分の名称に関する基準音声データを記録しておき、受信した音声と、この記憶した基準音声データとを比較して、検査者（操作者）から発声された音声に含まれる識別符号（検査対象のパーツの名称）を認識するようにすると、制御部における誤認識が低減するため好適である。
【００４７】
また、本実施形態においては、本発明におけるデータ記録装置を車両の検査システムに用いた例のみを用いて説明しているが、本発明はこれに限られるものではないことは言うまでもない。車両以外の工業製品等の外観検査や、一般的なカメラ等に代表される撮像手段により撮像される撮像データを記録する手段としても用いることは可能である。
【図面の簡単な説明】
【００４８】
【図１】本発明の実施形態に係るデータ記録装置を用いて、検査者が観検査を行う様子を概略的に示す概略図である。
【図２】図１に示すデータ記録装置本体の各構成を概略的に示した図である。
【図３】データ記録装置本体を装着した検査者が、その視線方向Ｓに向けて撮像を行う様子を示す概略図である。
【図４】図１または図２に示す制御部の内部構造を概念的に表したブロック図である。
【図５】図１または図２に示す制御部本体１３０が撮像データを記録するまでのフローを示すフローチャートである。
【符号の説明】
【００４９】
１・・・検査システム
２・・・データ記録装置
１０・・・データ記録装置本体
１１・・・撮像部
１１１・・・カメラ本体
１２・・・スイッチ（操作部）
１２２・・・ボタン
１３・・・制御部
１３０・・・制御部本体
１３１・・・記憶領域
１３２・・・演算処理部
１４・・・受信部
２０・・・コンピュータ
２１・・・コンピュータ本体
２２・・・ディスプレイ
２３・・・サーバ
Ｐ・・・検査者（操作者）
Ｍ・・・車両（撮像対象物）
【図１】
2008199079.tif 000003
【図２】
2008199079.tif 000004
【図３】
2008199079.tif 000005
【図４】
2008199079.tif 000006
【図５】
2008199079.tif 000007